(57)【要約】 【課題】  昇降し易く、作業性を向上させることができるとともに、安全性を保つことができるベント設備とその構築方法を、容易且つ低コストに提供することを目的とする。【解決手段】  橋梁部材６を仮支持する複数の支柱７を有する枠組み支保工３が備えられているベント設備１において、枠組み支保工３の外側には、階段部材２０が付設されている。【選択図】      図２
2005248628.tif 000002
【特許請求の範囲】
【請求項１】
橋梁部材を仮支持する複数の支柱を有する枠組み支保工が備えられているベント設備において、
前記枠組み支保工の外側には、階段部材が付設されていることを特徴とするベント設備。
【請求項２】
請求項１記載のベント設備において、
前記枠組み支保工は、枠状に形成された複数の枠部材を積層して形成され、該枠部材の内部には、該枠部材の略中央の高さに位置する作業床が形成されていることを特徴とするベント設備。
【請求項３】
請求項１または２記載のベント設備において、
前記枠組み支保工には、間隔をあけて複数設けられた前記階段部材間に架け渡す踊場足場が設けられていることを特徴とするベント設備。
【請求項４】
請求項１から３のいずれか記載のベント設備の構築方法において、
前記枠部材を形成するとともに、該枠部材に前記階段部材を取り付ける工程と、複数の前記枠部材を積層させて枠組み支保工を形成する工程とを備えることを特徴とするベント設備の構築方法。
【発明の詳細な説明】
【技術分野】
【０００１】
本発明は、例えばステージング工法によって橋梁を架設する場合に、橋梁部材を仮受するために用いられるベント設備とその構築方法に関する。
【背景技術】
【０００２】
一般に、ステージング工法によって橋梁を架設する場合、橋梁の床版ブロックや橋桁をベント設備によって仮受けするため、間隔をあけてベント設備を構築し、ベント設備上部に主桁を介して床版ブロック等を架け渡す。ベント設備は、敷桁の上に複数の支柱と横つなぎ材とブレスとで構成された枠組み支保工を組み立て、枠組み支保工の上に枕桁を載せて構築される。枠組み支保工は、支柱を構成する支柱部材と横つなぎ材とブレスとからなるユニット化された枠状の枠部材を複数積層させ、上下の枠部材の支柱部材同士をボルトで固定して連結することで組み立てられる。
【０００３】
枠組み支保工を組み立てる際、上段の枠部材が下段の枠部材の上に載せられた時点で、作業員が支柱部材同士を固定するボルトを締める必要があるため、従来、枠部材には、作業員がボルト締め作業を行うための作業床が形成されているとともに、上下の作業床間を作業員が移動するための梯子が設置されている（例えば、特許文献１参照。）。
【０００４】
また、ベント設備が高層の場合、梯子による昇降は作業員にとって重労働になるとともに危険度が増すため、昇降階段を有する枠組み足場をベント設備に隣接させて別途構築する場合がある。これによって、作業員は枠組み足場内の昇降階段を使って容易かつ安全に昇降することができる。
【特許文献１】特開２０００−１８６３０９号公報
【発明の開示】
【発明が解決しようとする課題】
【０００５】
しかしながら、上記した前者の従来のベント設備では、梯子によって昇降するため、上下の作業床間の移動が作業員にとって重労働になるとともに、転落の危険があり安全帯頼りの昇降となるという問題が存在する。また、後者の従来のベント設備では、別途枠組み足場を設ける必要があり、枠組み足場を設ける手間及びコストが嵩むという問題が存在する。
【０００６】
さらに、上記した従来のベント設備では、作業床を構成する足場板は、枠部材の上端部に設けられた対向する横つなぎ材間に架設されているため、作業床は枠部材の上端部に形成され、この作業床の上で作業員はボルト締めを行うことになるという問題が存在する。枠部材の上端部に形成された作業床上の作業員は、腰よりも低い位置に安全帯を掛けると危険であるため、作業床上に親綱や手摺を逐一設けてそこに安全帯をかける必要があるが、枠部材を組み上げる度に親綱や手摺を逐一設けることは相当の手間である。
【０００７】
本発明は、上記した従来の問題が考慮されたものであり、昇降し易く、作業性を向上させることができるとともに、安全性を保つことができるベント設備とその構築方法を、容易且つ低コストに提供することを目的としている。
【課題を解決するための手段】
【０００８】
請求項１記載の発明は、橋梁部材を仮支持する複数の支柱を有する枠組み支保工が備えられているベント設備において、前記枠組み支保工の外側には、階段部材が付設されていることを特徴としている。
【０００９】
このような特徴により、昇降し易い階段部材がベント設備と一体に形成されため、上下の移動が容易になる。また、階段部材は枠組み支保工の外側に付設されているため、階段部材を昇降する際、頭上に障害物等が無く、昇降し易い。さらに、階段部材を枠組み支保工に取り付けるだけであるため、作業員が昇降するための設備は容易に形成される。
【００１０】
請求項２記載の発明は、請求項１記載のベント設備において、前記枠組み支保工は、枠状に形成された複数の枠部材を積層して形成され、該枠部材の内部には、該枠部材の略中央の高さに位置する作業床が形成されていることを特徴としている。
【００１１】
このような特徴により、上段の枠部材を下段の枠部材の上に配置する際、下段の枠部材の作業床は枠部材の上部に囲まれて枠部材の上部が手摺となる。したがって、枠組み支保工を構築する際、安全設備が先行して形成される。
【００１２】
請求項３記載の発明は、請求項１または２記載のベント設備において、前記枠組み支保工には、間隔をあけて複数設けられた前記階段部材間に架け渡す踊場足場が設けられていることを特徴としている。
【００１３】
このような特徴により、枠組み支保工内に入らずに、踊場足場を通って階段部材間を移動することができ、間隔をあけて複数設けられた階段部材を使用した昇降が容易になる。
【００１４】
請求項４記載の発明は、請求項１から３のいずれか記載のベント設備の構築方法において、前記枠部材を形成するとともに、該枠部材に前記階段部材を取り付ける工程と、複数の前記枠部材を積層させて枠組み支保工を形成する工程とを備えることを特徴としている。
【００１５】
このような特徴により、枠組み支保工を形成する際、階段部材が順次形成される。また、枠部材を組み立てる作業は積層する前に行われるため、ベント設備の構築する際の高所作業が少なくなる。
【発明の効果】
【００１６】
本発明に係るベント設備とその構築方法によれば、枠組み支保工には昇降し易く安全な階段部材が付設されているため、枠組み支保工内を上下に移動しなければならない作業員は階段部材を使って容易且つ安全に昇降することができる。また、階段部材は枠組み支保工の外側に設けられているため、作業員が階段部材を使って昇降する際、頭上に障害物となり得るものはなく、スムーズに昇降することができる。よって、枠組み支保工内を上下に移動しなければならない作業員の作業性を向上させることができる。また、階段部材を枠組み支保工に取り付けるだけであるため、作業員が昇降するための設備は容易に形成され、ベント設備が高層の場合でも少ない手間と低コストで安全且つ昇降し易い設備を設けることができる。
【発明を実施するための最良の形態】
【００１７】
以下、本発明に係るベント設備とその構築方法の実施の形態について、図面に基いて説明する。
【００１８】
図１，図２に示すように、ベント設備１は、地盤Ｇ上に敷設された敷桁２と、敷桁２の上に組み立てられた枠組み支保工３と、枠組み支保工３の上に載せられた枕桁４とから構成されている。ベント設備１は間隔をあけて２組設けられ、２組のベント設備１の上には、主桁５を介して橋梁を構成する床版ブロック６が架け渡される。床版ブロック６は、ベント設備１間に仮架設された状態で、図示せぬ隣接する床版ブロックや橋脚にジョイントされる。ベント設備１は、床版ブロック６を仮受けするための仮設設備であり、橋梁完成後に撤去されるものである。
【００１９】
図３，図４は枠組み支保工３の一部を表す側面図であり、図５は枠組み支保工３を表す平面図である。図１，図２，図３，図４，図５に示すように、枠組み支保工３は、床版ブロック６を仮支持する支柱７を有する櫓状の構造からなり、立体的な枠状の枠部材８を複数積層させることで形成される。枠部材８は、間隔をあけて３本２列で配設された複数の支柱部材９と、水平方向に延在して隣接する支柱部材９間をつなぐ複数の横つなぎ１０と、支柱部材９および横つなぎ１０で形成された矩形枠内に嵌装された複数のブレス１１とから構成されている。
【００２０】
支柱部材９は丸管状の部材であり、複数の支柱部材９を直線的に連結することで支柱７は形成される。また、支柱部材９には長さが異なる複数種類のものがあり、最上段の枠部材８を構成する支柱部材９の長さは中間部や下端部の支柱部材９に比べて短い。また、最上段の支柱部材９の上端には最上段の支柱部材９より短い頂部支柱部材９ａが連結されており、隣り合う頂部支柱部材９ａの上端部間に枕桁４は架け渡されている。
【００２１】
図６は支柱部材９端部の断面図である。図３，図４，図６に示すように、支柱部材９の上下端には、横つなぎ１０及びブレス１１の端部とそれぞれピン接合されるガセットプレート１２と、上下の支柱部材９同士を連結するための継手プレート１３とがそれぞれ形成されている。継手プレート１３は円形に形成され、上下の支柱部材９の継手プレート１３同士をボルト接合するための孔１３ａが４箇所形成されている。また、ガセットプレート１２は支柱部材９を中心に十字状に形成されており、横つなぎ１０及びブレス１１の端部とそれぞれピン接合するための孔１２ａが２箇所づつ形成されている。
【００２２】
横つなぎ１０は、支柱部材９の上端部間に配置されており、横つなぎ１０の両端部は、支柱部材９上端部のガセットプレート１２にそれぞれピン接合されている。また、ブレス１１は、隣接する一方の支柱部材９の上端部と他方の支柱部材９の下端部との間に斜めに配置されているとともに、一方の支柱部材９の下端部と他方の支柱部材９の上端部との間に斜めに配置されており、２本の支柱部材９の間でＸ状に配置されている。
【００２３】
図７は支柱部材９中央部の断面図であり、図８は図３に示すＡ―Ａ間の水平断面図である。図３，図４，図７，図８に示すように、枠組み支保工３の内部には、作業員が作業するための作業床１４が間隔をあけて複数段形成されている。また、支柱部材９は、長さが２．０ｍであり、支柱部材９の中間部分（端部から１．０ｍの箇所）には、作業床１４を支持するための鍔部１５が形成されている。鍔部１５は円形に形成されており、鍔部１５には４つの孔１５ａが等間隔に形成されている。
【００２４】
枠部材８の内部に形成された作業床１４は、鍔部１５間に架設されて複数平行に並設された横架材１６と、横架材１６間に架設された鋼製の踏板１７とから構成されている。横架材１６は丸管状の部材であり、両端部には鍔部１５の孔１５ａに上方から貫入するピン１６ａがそれぞれ突設されている。踏板１７は、両端部に横架材１６に掛止する爪１８ａを有する複数の鋼製布板（アンチ１８）と、アンチ１８間の隙間に敷設される足場板１９とから構成されている。また、鍔部１５が支柱部材９の中間部分に形成されているため、作業床１４は枠部材８の略中央の高さに位置するところに形成されている。アンチ１８は、従来から仮設設備に用いられている規格化された既製の部材であり、図では長さ１８２９ｍｍ，幅５００ｍｍのアンチと、長さ１８２９ｍｍ，幅２４０ｍｍのアンチが使用されている。
【００２５】
また、図３，図４，図５に示すように、枠組み支保工３の外側には、作業員が上下移動するための複数の階段部材２０が付設されているとともに、間隔をあけて複数設けられた階段部材２０間に架け渡す踊場足場２１が形成されている。階段部材２０は各枠部材８にそれぞれ付設されており、一方の支柱部材９の下端部及び他方の支柱部材９の上端部にそれぞれ張設された階段ブラケット２２と、両端に階段ブラケット２２に掛ける爪２３ａを有し階段ブラケット２２間に架設された階段枠２３とから構成されている。階段ブラケット２２は、基端にガセットプレート１２にボルト接合される接合部２４と、階段枠２３の爪２３ａが掛けられるロッド状の被掛止部２５とから構成されている。階段枠２３は、従来から仮設設備に用いられている規格化された既製の部材であり、図では幅４５０ｍｍ，長さ１８２９ｍｍ，高さ１９５５ｍｍの階段枠が使用されている。
【００２６】
また、図１，図５に示すように、階段部材２０の内側及び外側には、階段部材２０を昇降する際に掴まるための手摺２６，２７がそれぞれ形成されている。外側の手摺（外手摺２６）は、階段ブラケット２２の先端に立設されたアングル材からなる親柱２８と、階段部材２０の傾斜方向に延在する丸管からなる手摺棒２９とから構成されている。手摺棒２９は、２本の親柱２８の上端部および中間部にそれぞれピン接合され、２本の親柱２８の間に架設されている。
【００２７】
図９（ａ）は内側の手摺（内手摺２７）の一端側（下端側）の接合部を表す拡大図であり、図９（ｂ）は内手摺２７の他端側（上端側）の接合部を表す拡大図である。図１，図９（ａ），図９（ｂ）に示すように、内手摺２７は階段部材２０の傾斜方向に延在するロッド状の部材であり、一方の支柱部材９に形成された鍔部１５と他端（上端）は他方の支柱部材９に形成された鍔部１５との間に架設されている。内手摺２７の一端（下端）は、下方向に鈍角に屈曲されており、他端（上端）は、下方向に鋭角に屈曲されている。内手摺２７は屈曲された両端部が鍔部１５の孔１５ａにそれぞれ嵌入されることで保持されている。
【００２８】
また、図３，図４，図５に示すように、踊場足場２１は、隣接する支柱部材９の上端部にそれぞれ張設された踊場ブラケット３０と、踊場ブラケット３０上に形成されたステージ部３１と、ステージ部３１の外側に設けられた手摺部３２とから構成されている。ステージ部３１は、踊場ブラケット３０上に間隔をあけて平行に架設された２本の親パイプ３３と、親パイプ３３上に間隔をあけて架設された複数本の転ばしパイプ３４と、転ばしパイプ３４上に敷設された足場板３５とから構成されている。また、手摺部３２は、踊場ブラケット３０の先端に立設されたアングル材からなる親柱３６と、水平方向に延在する丸管からなる手摺棒３７とから構成されている。手摺棒３７は、２本平行に並べられており、２本の親柱３６の上端部および中間部にそれぞれピン接合され、２本の親柱３６の間に架設されている。
【００２９】
次に、上記した構成からなるベント設備１の構築方法について説明する。
【００３０】
先ず、図１，図２に示すように、地盤Ｇ上に敷桁２を敷設し、敷桁２の上に最下段の枠部材８を組み立てる工程を行う。具体的には、地盤Ｇ上の所定位置に敷桁２を２本平行に敷き並べ、この敷桁２の上面に所定間隔をあけて支柱部材９を３本づつ建てる。このとき、支柱部材９と敷桁２との間にベースジャッキ等を介在させてもよい。そして、敷桁２の軸方向及び敷桁２に直交する方向にそれぞれ隣り合う支柱部材９の上端部間および下端部間に横つなぎ１０をそれぞれ配置し、横つなぎ１０の両端部を支柱部材９の上下端部に形成されたガセットプレート１２にそれぞれピン接合する。また、同じく隣り合う支柱部材９の間に２本のブレス１１をＸ状に配置し、ブレス１１の両端をガセットプレート１２にそれぞれピン接合して、支柱部材９と横つなぎ１０とで形成された矩形枠内にブレス１２を嵌装させる。
【００３１】
次に、最下段の枠部材８の内部に作業床１４を形成する工程を行う。具体的には、敷桁２に直交する方向に隣り合う支柱部材９の中間部間に横架材１６を配置し、支柱部材９の鍔部１５に形成された孔１５ａ内に横架材１６両端部にそれぞれ形成されたピン１６ａをそれぞれ嵌入して横架材１６を架設し、横架材１６を間隔をあけて３本平行に並設する。そして、これらの横架材１６の間にアンチ１８及び足場板１９を架け渡し、１段目の作業床１４を形成する。
【００３２】
また、枠部材８の外側に階段部材２０を取り付ける工程を行う。具体的には、隣り合う一方の支柱部材９の下端部に階段ブラケット２２を取り付けるとともに、他方の支柱部材９の上端部に階段ブラケット２２を取り付ける。これらの階段ブラケット２２は、支柱部材９の上下端部に形成されたガセットプレート１２のうち外側に張り出されたガセットプレート１２に階段ブラケット２２の接合部２４を重ね合わせてボルト接合することにより支柱部材９に取り付ける。そして、２本の階段ブラケット２２の被掛止部２５間に階段枠２３を配置し、階段枠２３の両端に備えられた爪２３ａを被掛止部２５にそれぞれ掛け、階段枠２３を設置する。また、階段ブラケット２２の先端に、予め親柱２８を溶接して立設させておき、２本の親柱２８の間に斜め方向に延在する手摺棒２９を２本平行に配置し、親柱２８の上端部および中間部にそれぞれピン接合して外手摺２４を組み立てる。
【００３３】
次に、地盤Ｇ上で２段目の枠部材８を形成するとともに、この枠部材８の外側に階段部材２０を付設し、また枠部材８の内部に作業床１４を形成し、さらに枠部材８の外側に踊場足場２１を取り付ける工程を行う。具体的には、地上で上記した最下段の枠部材８の組み立て手順と同様にして２段目の枠部材８を組み立てる。また、階段部材２０及び作業床１４についても、上記した最下段の階段部材２０及び作業床１４と同様にして地上で取り付ける。階段部材２０は、最下段の枠部材８に取り付けられた階段部材２０の延長線上に形成する。
【００３４】
また、隣り合う支柱部材９の上端部に踊場ブラケット３０をそれぞれ取り付け、２本の踊場ブラケット３０の上に親パイプ３３を間隔をあけて２本平行に架設し、２本の親パイプ３３の上に転ばしパイプ３４を間隔をあけて３本平行に架設し、転ばしパイプ３４の上に足場板３５を敷設して踊場足場２１を組み立てる。踊場ブラケット３０は、支柱部材９の上端部に形成されたガセットプレート１２のうち外側に張り出しているガセットプレート１２にボルト接合することで支柱部材９に取り付ける。また、また、踊場ブラケット３０の先端に、予め親柱３６を溶接して立設させておき、２本の親柱３６の間に水平方向に延在する手摺棒３７を２本平行に配置し、親柱３６の上端部および中間部にそれぞれピン接合して手摺部３２を組み立てる。また、踊場足場２１は、２段目の枠部材８に付設された階段部材２０の上端部に接続されている。
【００３５】
次に、地上で組まれた２段目の枠部材８を最下段の枠部材８の上に積層する工程を行う。具体的には、２段目の枠部材８をクレーン等を使用して吊り上げて、敷桁２上に組み立てられた最下段の枠部材８の上に載せる。このとき、最下段の支柱部材９上端部の継手プレート１３と、２段目の支柱部材９下端部の継手プレート１３とが重なり合うように２段目の枠部材８の位置合わせを行い、継手プレート１３同士をボルト接合して支柱部材９を連結する。
【００３６】
上記した地上で枠部材８を組み立て、枠部材８に作業床１４及び階段部材２０を付設する工程と、枠部材８を積層する工程とを繰り返し行うことで櫓状の枠組み支保工３を構築する。踊場足場２１は、一層おきに設置するとともに、離されて設置された階段部材２０の間に架け渡すように形成し、階段部材２０と踊場足場２１とは枠組み支保工３の周りに螺旋状に形成される。また、内手摺２７も枠部材８を積層させる毎に順次取り付けていく。そして、最上段の枠部材８を積み上げた後、最上段の支柱部材９の上端部に頂部支柱部材９ａを連結し、隣り合う頂部支柱部材９ａの上端部間に枕桁４を架け渡す。
【００３７】
上記した構成からなるベント設備１によれば、枠組み支保工３には昇降し易く安全に昇降することができる階段部材２０が付設されているため、作業員は階段部材２０を使って容易且つ安全に枠組み支保工３内を上下移動することができる。また、階段部材２０は枠組み支保工３の外側に設けられているため、作業員が階段部材２０を使って昇降する際、頭上に障害物となり得るものはなく、スムーズに昇降することができる。よって、作業員が機材や資材等を持っている場合も昇降し易く、作業員の作業性を向上させることができる。また、階段部材２０は枠組み支保工３に取り付けるだけであるため、別途昇降設備用の枠組み足場等を組み立てる必要はなく、作業員が昇降するための設備は容易に形成され、ベント設備１が高層の場合でも少ない手間と低コストで安全且つ昇降し易い設備を設けることができる。
【００３８】
また、枠組み支保工３は、枠状に形成された複数の枠部材８を積層して形成され、枠部材８の内部には、枠部材８の略中央の高さに位置する作業床１４が形成されているため、上段の枠部材８を下段の枠部材８の上に配置する際、下段の枠部材８の作業床１４は枠部材８の横つなぎ１０やブレス１１に囲まれる。したがって、下段の支柱部材９と上段の支柱部材９とをボルト締めする作業員の作業場となる下段の作業床１４は、横つなぎ１０やブレス１１が手摺代わりとなり、安全設備が先行して形成されていることになる。これによって、作業床１４からの転落を防止することができ、安全性を向上させることができる。
【００３９】
また、枠組み支保工３には、間隔をあけて複数設けられた階段部材２０間に架け渡す踊場足場２１が設けられているため、枠組み支保工３内に入らずに、踊場足場２１を通って階段部材２０間を移動することができ、間隔をあけて複数設けられた階段部材２０を使用した昇降が容易になる。これによって、スムーズに昇降することができ、作業性を向上させることができる。
【００４０】
また、上記した構成からなるベント設備１の構築方法によれば、枠部材８を形成するとともに、この枠部材８の外側に階段部材２０を付設し、また枠部材８の内部に作業床１４を形成する工程と、地上で組まれた枠部材８を積層させて枠組み支保工３を形成する工程とを備えるため、枠部材８を積み上げていく過程で、階段部材２０が順次形成される。よって、枠部材８を積層させていく際、作業員は上下の作業床１４間をスムーズに移動することができ、作業性は向上する。また、枠部材８を組み立てる作業は積層する前に地上で行われるため、枠組み支保工３を構築する際の高所作業が少なくなる。これによって、安全性を向上させることができる。
【００４１】
以上、本発明に係るベント設備とその構築方法の実施の形態について説明したが、本発明は上記した実施の形態に限定されるものではなく、その趣旨を逸脱しない範囲で適宜変更可能である。例えば、上記した実施の形態では、階段部材２０は、階段ブラケット２２と、両端に階段ブラケット２２に掛ける爪２３ａを有する階段枠２３とから構成されているが、本発明は、階段ブラケットと階段枠とが一体に形成された階段部材でもよく、階段枠に爪がなく階段ブラケットに溶接されていてもよい。また、上記した実施の形態では、階段ブラケット２２の先端に立設された親柱２８と親柱２８にピン接合された手摺棒２９とから構成された外手摺２６が組み立て現場で組み立てられているが、本発明は、外手摺が備え付けられた階段部材を使用してもよい。これによって、現場での作業が軽減され、作業時間を短縮することができる。
【００４２】
また、上記した実施の形態では、作業床１４は横架材１６と踏板１７とを組み立てることで形成され、踏板１７はアンチ１８と足場板１９とによって構成されているが、本発明は、横架材１６と踏板１７とが一体に形成されていてもよく、アンチ１８または足場板１９のうち一方だけで踏板１７を形成してもよく、無論木製足場板を使用してもよい。また、上記した実施の形態では、踊場足場２１を形成するステージ部３１は、親パイプ３３と転ばしパイプ３４と足場板３５とを組み立てることで形成され、手摺部３２を親柱３６と手摺棒３７とで構成しているが、本発明は、既製のステージ部材を使用してもよく、また、手摺部が備え付けられたステージ部材を使用してもよい。さらに、踊場ブラケットがステージ部に一体に形成されていてもよい。これによって、現場での作業が軽減され、作業時間を短縮することができる。
【図面の簡単な説明】
【００４３】
【図１】本発明に係るベント設備とその構築方法の実施の形態を説明するための全体立面図である。
【図２】本発明に係るベント設備とその構築方法の実施の形態を説明するための全体立面図である。
【図３】本発明に係るベント設備とその構築方法の実施の形態を説明するための部分側面図である。
【図４】本発明に係るベント設備とその構築方法の実施の形態を説明するための部分側面図である。
【図５】本発明に係るベント設備とその構築方法の実施の形態を説明するための平面図である。
【図６】本発明に係るベント設備とその構築方法の実施の形態を説明するための支柱部材端部の部分図である。
【図７】本発明に係るベント設備とその構築方法の実施の形態を説明するための支柱部材中央部の部分図である。
【図８】本発明に係るベント設備とその構築方法の実施の形態を説明するための図３に示すＡ−Ａ間の平面図である。
【図９】（ａ），（ｂ）共に、本発明に係るベント設備とその構築方法の実施の形態を説明するための支柱部材中央部の詳細図である。
【符号の説明】
【００４４】
１  ベント設備
３  枠組み支保工
６  床版ブロック（橋梁部材）
７  支柱
８  枠部材
１４  作業床
２０  階段部材
２１  踊場足場
【図１】
2005248628.tif 000003
【図２】
2005248628.tif 000004
【図３】
2005248628.tif 000005
【図４】
2005248628.tif 000006
【図５】
2005248628.tif 000007
【図６】
2005248628.tif 000008
【図７】
2005248628.tif 000009
【図８】
2005248628.tif 000010
【図９】
2005248628.tif 000011